(57)【要約】【課題】香料の発散量を任意に調整可能であると共に液状の香料が付着せずに容易に香料の交換が可能な耳飾りを提供すること。【解決手段】耳たぶに取り付け可能な取付部と、該取付部に揺動自在に吊り下げされた装飾部４と、を備えた耳飾りであって、装飾部４が、液状の香料を内部に収納すると共に気化した香料を外部に発散可能なカートリッジ部６と、カートリッジ部６を交換可能に収納すると共にカートリッジ部６からの香料を外部に発散する外側発散孔７ａが形成された外側容器７と、香料を外側発散孔７ａから外部に発散する量を任意に調整可能な発散調整機構８と、を備えている。【選択図】図２
2010274009.tif 000002
【特許請求の範囲】
【請求項１】
耳たぶに取り付け可能な取付部と、該取付部に揺動自在に吊り下げされた装飾部と、を備えた耳飾りであって、
前記装飾部が、液状の香料を内部に収納すると共に気化した香料を外部に発散可能なカートリッジ部と、
該カートリッジ部を交換可能に収納すると共に前記カートリッジ部からの前記香料を外部に発散する外側発散孔が形成された外側容器と、
前記香料を前記外側発散孔から外部に発散する量を任意に調整可能な発散調整機構と、を備えていることを特徴とする耳飾り。
【請求項２】
請求項１に記載の耳飾りにおいて、
前記発散調整機構が、前記外側発散孔の開口面積を調整可能な開口調整機構であることを特徴とする耳飾り。
【請求項３】
請求項１又は２に記載の耳飾りにおいて、
前記カートリッジ部が、前記香料が外側に発散可能な内側発散孔を外周面に有する円筒状とされ、
前記外側容器が、前記カートリッジ部が挿入可能で該カートリッジ部の外周面に摺動状態に回動可能な円筒状とされていると共に前記内側発散孔と同じ高さ位置に前記外側発散孔が形成され、
前記発散調整機構が、前記カートリッジ部に対して前記外側容器を軸回りに相対的に回動させた際に前記内側発散孔と前記外側発散孔とが連通した開口部の面積を調整可能とされていることを特徴とする耳飾り。
【請求項４】
請求項３に記載の耳飾りにおいて、
前記カートリッジ部内に、前記液状の香料を含浸させた香料含浸材料が挿入されており、
前記カートリッジ部及び前記外側容器が、いずれも複数の前記内側発散孔又は前記外側発散孔を有するメッシュ状材料で外周面が形成されていることを特徴とする耳飾り。
【発明の詳細な説明】
【技術分野】
【０００１】
本発明は、装飾機能だけでなく、香水等の香りも楽しむことができるピアスやイヤリング等の耳飾りに関する。
【背景技術】
【０００２】
一般に、耳たぶに装着する装飾具としてピアスやイヤリング等の様々な耳飾りが市販及び開発されている。従来、この耳飾りとして、香水等の香りを放散させることができるピアスやイヤリングが提案されている。
【０００３】
例えば、特許文献１には、外装部材の内部に芳香剤をしみ込ませるための含浸部材を、該外装部材の外部に一部が露見するように組み込み、外装部材にイヤリングの耳たぶへの装着部材を差し込んで取り付けるための弾性取付部を設けたイヤリングの芳香具が提案されている。
また、特許文献２には、カプセルに吸水性物質を入れ、これに香りの出口兼、香水の注入穴を開けたもので、ピアス軸の固定部分に軟質合成樹脂を使用したアクセサリーが提案されている。
【０００４】
さらに、特許文献３には、本体に収納した多孔質セラミックスに液体香料を含浸させ、本体に設けた通気孔を通して香りを徐放するアクセサリーが提案されている。
また、特許文献４には、香料を収納する機能を有すると共に、収納した香料を気化させ、香料ガスとして周囲の雰囲気に放出する機能を有するイヤリングが提案されている。
また、特許文献５には、耳の止め口にイヤリング本体をつけ、その中に固形香水を入れたイヤリングが提案されている。
【先行技術文献】
【特許文献】
【０００５】
【特許文献１】特開２００３−１１６６０５号公報
【特許文献２】特開平９−１４０４４５号公報
【特許文献３】実用新案登録第３１０１８７８号公報
【特許文献４】実開昭６３−８８１１１号公報
【特許文献５】実開昭６３−７９７１９号公報
【発明の概要】
【発明が解決しようとする課題】
【０００６】
上記従来の技術には、以下の課題が残されている。
すなわち、上記従来の香りを発散可能なピアスやイヤリング等の耳飾りでは、いずれも香水等の香料やこれを含浸させた材料等を一旦組み込んでしまうと、その香料の発散量を任意に調整することができないという不都合があった。例えば、装着者が状況に応じて香料の発散量を極力抑えたい場合にも多くの香料が発散してしまったり、香料が少なくなってきて発散量が低下した際に発散量を極力増やすことが困難であった。また、非装着時に香料を組み込んだ状態で耳飾りをしばらく収納ケース等に入れたままにした場合も、香料が不必要に発散してしまうため、早期に香料が無くなってしまうなどの問題があった。このため、香りの強弱だけでなく、香りの保持時間も任意にコントロールすることが困難であった。さらに、入れている香料が無くなった場合や別の香りの香料に変更する場合に、従来では、香料を直接補充するか、香料が含浸された材料を入れ替える等の作業が必要になるが、作業時に液状の香料が直接、指等に付着してしまう不都合があった。
【０００７】
本発明は、前述の課題に鑑みてなされたもので、香料の発散量を任意に調整可能であると共に液状の香料が付着せずに容易に香料の交換が可能な耳飾りを提供することを目的とする。
【課題を解決するための手段】
【０００８】
本発明は、前記課題を解決するために以下の構成を採用した。すなわち、本発明の耳飾りは、耳たぶに取り付け可能な取付部と、該取付部に揺動自在に吊り下げされた装飾部と、を備えた耳飾りであって、前記装飾部が、液状の香料を内部に収納すると共に気化した香料を外部に発散可能なカートリッジ部と、該カートリッジ部を交換可能に収納すると共に前記カートリッジ部からの前記香料を外部に発散する外側発散孔が形成された外側容器と、前記香料を前記外側発散孔から外部に発散する量を任意に調整可能な発散調整機構と、を備えていることを特徴とする。
【０００９】
この耳飾りでは、香料を外側発散孔から外部に発散する量を任意に調整可能な発散調整機構を備えているので、装着者が任意に香りの強弱及び保持時間をコントロールすることができる。また、この耳飾りでは、液状の香料を内部に収納するカートリッジ部が外側容器内に交換可能に収納されているので、外側容器内のカートリッジ部を取り出す際など、液状の香料はカートリッジ部内にあるため指等に直接付着せず、新品又は別の香料のカートリッジ部に容易に交換することができる。したがって、その時々の好みに応じて容易にカートリッジ部を取り換えることも可能になり、一日に何度も異なる香りに変更したり、左右の耳で異なる香りの香料に変更して互いに香りの強弱を変えること等、多様な使用方法が可能になる。また、カートリッジ部が外側容器に収納されて露出部分が少ないので、埃や塵等が侵入及び付着し難く、カートリッジ部内の香料や香料を保持する材料が汚れたり変質することを抑制することができる。
【００１０】
また、本発明の耳飾りは、前記発散調整機構が、前記外側発散孔の開口面積を調整可能な開口調整機構であることを特徴とする。
すなわち、この耳飾りでは、発散調整機構が、外側発散孔の開口面積を調整可能な開口調整機構であるので、外側発散孔の開口面積に応じて香料が外部へ発散する量を容易に調整することができる。
【００１１】
また、本発明の耳飾りは、前記カートリッジ部が、前記香料が外側に発散可能な内側発散孔を外周面に有する円筒状とされ、前記外側容器が、前記カートリッジ部が挿入可能で該カートリッジ部の外周面に摺動状態に回動可能な円筒状とされていると共に前記内側発散孔と同じ高さ位置に前記外側発散孔が形成され、前記発散調整機構が、前記カートリッジ部に対して前記外側容器を軸回りに相対的に回動させた際に前記内側発散孔と前記外側発散孔とが連通した開口部の面積を調整可能とされていることを特徴とする。
すなわち、この耳飾りでは、発散調整機構が、カートリッジ部に対して外側容器を軸回りに相対的に回動させた際に内側発散孔と外側発散孔とが連通した開口部の面積を調整可能とされているので、カートリッジ部に対して外側容器を回動させる簡単な操作だけで、香料が外部へ発散する量を容易に調整することができる。
【００１２】
さらに、本発明の耳飾りは、前記カートリッジ部内に、前記液状の香料を含浸させた香料含浸材料が挿入されており、前記カートリッジ部及び前記外側容器が、いずれも複数の前記内側発散孔又は前記外側発散孔を有するメッシュ状材料で外周面が形成されていることを特徴とする。
すなわち、この耳飾りでは、カートリッジ部及び外側容器が、いずれも複数の内側発散孔又は外側発散孔を有するメッシュ状材料で外周面が形成されているので、カートリッジ部に対して外側容器を回動させるとメッシュ状材料で形成された多数の内側発散孔と外側発散孔との連通した開口部の面積が同時に変わり、香料含浸材料から気化した香料の外部への発散量を広い範囲で調整することができる。
また、２つのメッシュパイプ状であるカートリッジ部と外側容器とにより、高いデザイン性も有することができる。さらに、このカートリッジ部は、内部に収納される香料含浸材料の形状を保持する機能を有している。
【発明の効果】
【００１３】
本発明によれば、以下の効果を奏する。
すなわち、本発明に係る耳飾りによれば、液状の香料を内部に収納するカートリッジ部が外側容器内に交換可能に収納されていると共に香料を外側発散孔から外部に発散する量を任意に調整可能な発散調整機構を備えているので、任意に香りの強弱及び保持時間をコントロールすることができると共に、液状の香料が指等に直接付着することを防いで容易にカートリッジ部を交換することができる。したがって、その時々の好みに応じて香りの強弱や香り自体を任意に変更することが容易なピアスやイヤリング等の耳飾りが実現可能になる。
【図面の簡単な説明】
【００１４】
【図１】本発明に係る耳飾りの第１実施形態を示す正面図である。
【図２】第１実施形態の耳飾りを示す横断面図である。
【図３】第１実施形態の耳飾りにおいて、外側容器（ａ）、カートリッジ部（ｂ）及び香料含浸材料（ｃ）を示す正面図である。
【図４】第１実施形態の耳飾りにおいて、外側発散孔が完全に閉塞されている状態（ａ）と、外側発散孔が一部開口されている状態（ｂ）と、を示す説明図である。
【図５】本発明に係る耳飾りの第２実施形態において、外側容器（ａ）、カートリッジ部（ｂ）及び香料含浸材料（ｃ）を示す正面図である。
【図６】第２実施形態の耳飾りにおいて、外側発散孔が完全に閉塞されている状態（ａ）と、外側発散孔が一部開口されている状態（ｂ）と、を示す説明図である。
【図７】本発明に係る耳飾りの第３実施形態において、外側容器（ａ）、カートリッジ部（ｂ）及び香料含浸材料（ｃ）を示す正面図である。
【図８】本発明に係る耳飾りの第４実施形態を示す正面図（ａ）及び縦断面図（ｂ）である。
【図９】第４実施形態の耳飾りにおいて、外側発散孔が完全に閉塞されている状態（ａ）と、外側発散孔が一部開口されている状態（ｂ）と、外側発散孔が完全に開口している状態（ｃ）と、を示す説明図である。
【発明を実施するための形態】
【００１５】
以下、本発明に係る耳飾りの第１実施形態を、図１から図４を参照しながら説明する。
本実施形態の耳飾り１は、図１から図３に示すように、耳たぶに取り付け可能な取付部２と、該取付部２にチェーン部３を介して揺動自在に吊り下げされた装飾部４と、を備えたピアス又はイヤリングの耳飾りであって、装飾部４が、液状の香料を含浸させた香料含浸材料５を内部に収納すると共に気化した香料を外部に発散可能なカートリッジ部６と、該カートリッジ部６を交換可能に収納すると共にカートリッジ部６からの香料を外部に発散する外側発散孔７ａが形成された外側容器７と、香料を外側発散孔７ａから外部に発散する量を任意に調整可能な発散調整機構８と、を備えている。
【００１６】
ピアスの場合における取付部２は、耳たぶに形成した孔に差し込まれるピン及びキャッチ部であり、装飾部４はピンに接続される。また、イヤリングの場合における取付部２は、耳たぶを挟持するネジ式やクリップ式の留め具である。これらピアス用又はイヤリング用の取付部２は、既存のものが採用可能である。なお、図１では、イヤリング用の取付部２を簡易的に図示している。
【００１７】
上記香料含浸材料５は、不織布や円柱状に形成された多孔質材料であって、液状の香水や芳香剤等である香料が含浸されたものである。例えば、多孔質材料としては、砂金、アルミ等を完全に溶かさないままプレス等を行い、ポーラスな材質を作製したものや、多孔質セラミックス等が採用可能である。
上記カートリッジ部６は、香料が外側に発散可能な内側発散孔６ａを外周面に多数有するメッシュ状材料で構成された円筒状とされている。なお、このカートリッジ部６は、内部に収納される香料含浸材料５の形状を保持する機能を有している。
【００１８】
なお、カートリッジ部６の上部には、外側容器７に挿入した際に外側容器７の上部から突出可能な摘み部９が着脱可能に取り付けられている。この摘み部９は、香料含浸材料５が挿入された状態でカートリッジ部６の上部開口部を閉塞するように、ネジ式又は圧入式で取り付けられる。なお、上記チェーン部３の先端は、この摘み部９に接続されている。
【００１９】
上記外側容器７は、カートリッジ部６が挿入可能で該カートリッジ部６の外周面に摺動状態に回動可能なメッシュ状材料で構成された有底円筒状とされていると共に内側発散孔６ａと同じ高さ位置に多数の外側発散孔７ａが形成されている。
この外側容器７は、内部にカートリッジ部６が挿入された状態で上記摘み部９が回動可能に圧入されて上部開口部が閉塞されている。
これらカートリッジ部６及び外側容器７を構成するメッシュ状材料は、金属線材又は金属棒材を網状に編み込んだものや樹脂材料を網状に成形したもの等が採用可能である。
【００２０】
カートリッジ部６を交換する場合、摘み部９を掴んで回転又は引っ張ることで、外側容器７からカートリッジ部６を引き抜き、新たなカートリッジ部６を再び摘み部９を持って外側容器７に挿入し、摘み部９を外側容器７に固定すると共に外側容器７の上部開口部を閉塞することとで交換可能である。
上記発散調整機構８は、外側発散孔７ａの開口面積を調整可能な開口調整機構であって、カートリッジ部６に対して外側容器７を軸回りに相対的に回動させた際に内側発散孔６ａと外側発散孔７ａとが連通した開口部の面積を調整可能とされている。
【００２１】
次に、本実施形態の耳飾り１による香料の発散量の調整方法について、図４を参照して説明する。
【００２２】
まず、香料含浸材料５から気化した香料を発散させたくない場合、外側容器７に対してカートリッジ部６を摘み部９を掴んで回動させ、図４の（ａ）に示すように、外側発散孔７ａと内側発散孔６ａとが重ならないようにする。この場合、外側発散孔７ａがカートリッジ部６のメッシュ状材料によって完全に閉塞されるため、カートリッジ部６から気化した香料が外側容器７の外部に放散されない。
【００２３】
また、香料含浸材料５から気化した香料を少し発散させたい場合、外側容器７に対してカートリッジ部６を、摘み部９を掴んで回動させ、図４の（ｂ）に示すように、外側発散孔７ａと内側発散孔６ａとが一部重なるようにする。この場合、外側発散孔７ａがカートリッジ部６のメッシュ状材料によって一部が閉塞されるが、一部は内側発散孔６ａに連通して開口するため、カートリッジ部６から気化した香料が開口部を介して外側容器７の外部に放散する。
【００２４】
なお、香料含浸材料５から気化した香料の発散量を最大に設定したい場合は、外側容器７に対してカートリッジ部６を、摘み部９を掴んで回動させ、外側発散孔７ａと内側発散孔６ａとが完全に重なるようにすることで、外側発散孔７ａと内側発散孔６ａとが連通した開口部の面積を最大にすればよい。
【００２５】
このように本実施形態の耳飾り１では、香料を外側発散孔７ａから外部に発散する量を任意に調整可能な発散調整機構８を備えているので、装着者が任意に香りの強弱及び保持時間をコントロールすることができる。また、この耳飾り１では、液状の香料を内部に収納するカートリッジ部６が外側容器７内に交換可能に収納されているので、外側容器７内のカートリッジ部６を取り出す際など、液状の香料はカートリッジ部６内にあるため指等に直接付着せず、新品又は別の香料のカートリッジ部６に容易に交換することができる。
【００２６】
したがって、その時々の好みに応じて容易にカートリッジ部６を取り換えることも可能になり、一日に何度も異なる香りに変更したり、左右の耳で異なる香りの香料に変更して互いに香りの強弱を変えること等、多様な使用方法が可能になる。また、カートリッジ部６が外側容器７に収納されて露出部分が少ないので、埃や塵等が侵入及び付着し難く、カートリッジ部６内の香料や香料を保持する材料（香料含浸材料５等）が汚れたり変質することを抑制することができる。
【００２７】
なお、装飾部４は、取付部２から揺動自在に吊り下げられているので、装飾部４が良く振れることでカートリッジ部６内の香料が発散しやすいと共に、耳たぶに直接取り付けていないことから、皮膚と相性の悪い材料であっても皮膚に炎症等を起こさず、材料の選択自由度が高くなる。また、耳の後ろに取り付ける場合に比べてデザインの自由度が高い。特に、香料を入っているカートリッジ部６が外側容器７に収納されているため、カートリッジ部６のデザインは汎用的にして、外側容器７のデザインは様々なものを採用することも可能になる。例えば、カートリッジ部６は共通したものを使用し、外側発散孔７ａの形状や配置等を変えた外側容器７に適宜変更することで、様々な外観を有する耳飾りが可能になる。
【００２８】
また、発散調整機構８が、外側発散孔７ａの開口面積を調整可能な開口調整機構であるので、外側発散孔７ａの開口面積に応じて香料が外部へ発散する量を容易に調整することができる。特に、発散調整機構８が、カートリッジ部６に対して外側容器７を軸回りに相対的に回動させた際に内側発散孔６ａと外側発散孔７ａとが連通した開口部の面積を調整可能とされているので、カートリッジ部６に対して外側容器７を回動させる簡単な操作だけで、香料が外部へ発散する量を容易に調整することができる。
【００２９】
さらに、カートリッジ部６及び外側容器７が、いずれも多数の内側発散孔６ａ又は外側発散孔７ａを有するメッシュ状材料で外周面が形成されているので、カートリッジ部６に対して外側容器７を回動させるとメッシュ状材料で形成された多数の内側発散孔６ａと外側発散孔７ａとの連通した開口部の面積が同時に変わり、香料含浸材料５から気化した香料の外部への発散量を広い範囲で調整することができる。
また、２つのメッシュパイプ状であるカートリッジ部６と外側容器７とにより、高いデザイン性も有することができる。
【００３０】
次に、本発明に係る耳飾りの第２から第４実施形態について、図５から図９を参照して以下に説明する。なお、以下の各実施形態の説明において、上記実施形態において説明した同一の構成要素には同一の符号を付し、その説明は省略する。
【００３１】
第２実施形態と第１実施形態との異なる点は、第１実施形態では、カートリッジ部６及び外側容器７が、いずれも多数の内側発散孔６ａ又は外側発散孔７ａを有するメッシュ状材料で外周面が形成されているのに対し、第２実施形態の耳飾りは、図５及び図６に示すように、カートリッジ部２６及び外側容器２７が、いずれも円形状の内側発散孔２６ａ又は外側発散孔７ａを外周面に複数有する円筒板で形成されている点である。
【００３２】
すなわち、第２実施形態の耳飾りでは、カートリッジ部２６を外側容器２７に挿入した状態で、互いに対応する内側発散孔２６ａと外側発散孔２７ａとが同じ高さに設定されている。この第２実施形態の耳飾りで香料の発散量を調整するには、まず、香料含浸材料５から気化した香料を発散させたくない場合、外側容器２７に対してカートリッジ部２６を摘み部９を掴んで回動させ、図６の（ａ）に示すように、円形状の外側発散孔２７ａと内側発散孔２６ａとが重ならないようにする。この場合、外側発散孔２７ａがカートリッジ部２６の外周面によって完全に閉塞されるため、カートリッジ部２６から気化した香料が外側容器２７の外部に放散されない。
【００３３】
また、香料含浸材料５から気化した香料を少し発散させたい場合、外側容器２７に対してカートリッジ部２６を摘み部９を掴んで回動させ、図６の（ｂ）に示すように、円形状の外側発散孔２７ａと内側発散孔２６ａとが一部重なるようにする。この場合、外側発散孔２７ａがカートリッジ部２６の外周面によって一部が閉塞されるが、一部は内側発散孔２６ａに連通して半開状態で開口するため、カートリッジ部２６から気化した香料が開口部を介して外側容器２７の外部に放散する。
このように、第２実施形態の耳飾りでも、第１実施形態と同様にカートリッジ部２６と外側容器２７との相対的な回転によって、香料の発散量を調整することができる。
【００３４】
次に、第３実施形態と第２実施形態との異なる点は、第２実施形態では、外側発散孔２７ａと内側発散孔２６ａとが円形状であるのに対し、第３実施形態の耳飾りでは、図７に示すように、外側発散孔３７ａと内側発散孔３６ａとが縦長の楕円形状とされて、第２実施形態よりも少ない数で形成されている点である。
この第３実施形態の耳飾りのように、外側発散孔３７ａ及び内側発散孔３６ａの形状、配置又は数を任意に設定することが可能であり、その形状、配置又は数に応じて香料の発散量の調整範囲をコントロールできると共に多様な外観上のデザインを得ることができる。
【００３５】
次に、第４実施形態と第１実施形態との異なる点は、第１実施形態では、外側容器７がメッシュ状材料で形成されているのに対し、第４実施形態の耳飾り４１は、図８に示すように、発散調整機構４８として、外側容器４７に対して軸回りに回動可能な回転リング部材４２が設けられ、外側容器４７に形成された第１の側孔４７ａと回転リング部材４２に形成された第２の側孔４２ａとで外側発散孔が形成される点である。
【００３６】
この第４実施形態の耳飾り４１では、外側容器４７が、下端部に雌ねじ部４７ｂが形成され上部が閉塞された円筒状の上部容器４７Ａと、上端部に雌ねじ部４７ｂに螺着可能な雄ねじ部４７ｃが形成された有底円筒状の下部容器４７Ｂと、で構成されている。したがって、上部容器４７Ａと下部容器４７Ｂとは着脱可能に螺着されており、上部容器４７Ａ又は下部容器４７Ｂを回転させて外すことで、内部に収納されたカートリッジ部６を容易に交換することができる。
上記下部容器４７Ｂには、回転リング部材４２が回動可能に嵌め込まれる段差部４７ｄが外周に沿って形成され、該段差部４７ｄ内に第１の側孔４７ａが形成されている。
【００３７】
この第４実施形態の耳飾り４１による香料の発散量の調整方法について、図９を参照して説明する。
【００３８】
まず、香料含浸材料５から気化した香料を発散させたくない場合、外側容器４７に対して回転リング部材４２を回動させ、図９の（ａ）に示すように、第１の側孔４７ａと第２の側孔４２ａとが重ならないようにする。この場合、第１の側孔４７ａが下部容器４７Ｂの段差部４７ｄによって完全に閉塞されるため、カートリッジ部６から気化した香料が外側容器４７の外部に放散されない。
【００３９】
また、香料含浸材料５から気化した香料を少し発散させたい場合、外側容器４７に対して回転リング部材４２を回動させ、図９の（ｂ）に示すように、第１の側孔４７ａと第２の側孔４２ａとが一部重なるようにする。この場合、第１の側孔４７ａが下部容器４７Ｂの段差部４７ｄによって一部が閉塞されるが、一部は第２の側孔４２ａに連通して半開状態で開口するため、カートリッジ部６から気化した香料が開口部を介して外側容器４７の外部に放散する。このように第１の側孔４７ａと第２の側孔４２ａとの連通孔である開口部が外側発散孔として機能する。
【００４０】
なお、香料含浸材料５から気化した香料の発散量を最大に設定したい場合は、外側容器４７に対して回転リング部材４２を回動させ、第１の側孔４７ａと第２の側孔４２ａとが完全に重なるようにすることで、第１の側孔４７ａと第２の側孔４２ａとが連通した開口部、すなわち外側発散孔の面積を最大にすればよい。
【００４１】
なお、本発明は上記各実施形態に限定されるものではなく、本発明の趣旨を逸脱しない範囲において種々の変更を加えることができる。
【符号の説明】
【００４２】
１，４１…耳飾り、２…取付部、４…装飾部、６，２６，３７…カートリッジ部、７ａ…外側発散孔、５…香料含浸材料、６ａ…内側発散孔、７，２７，３７，４７…外側容器、８，４８…発散調整機構、４２ａ…第２の側孔、４７ａ…第１の側孔
【図１】
2010274009.tif 000003
【図２】
2010274009.tif 000004
【図３】
2010274009.tif 000005
【図４】
2010274009.tif 000006
【図５】
2010274009.tif 000007
【図６】
2010274009.tif 000008
【図７】
2010274009.tif 000009
【図８】
2010274009.tif 000010
【図９】
2010274009.tif 000011